(57)【特許請求の範囲】
【請求項１】
支持部に水平に支持され、水平方向に回転可能に設けられた水平回転テーブルと、該水平回転テーブルを定速で回転可能な水平回転駆動部と、前記水平回転テーブルに設けられたＥＤＭ装置と、撮像装置と、前記ＥＤＭ装置による測距と、前記撮像装置による撮像とを同期制御する制御部とを具備し、
前記ＥＤＭ装置の光軸と前記撮像装置の光軸とは平行で、且つ既知の関係にあり、
前記制御部は前記水平回転駆動部を制御して前記水平回転テーブルを所定角度毎に回転させると共に前記撮像装置を作動させ、所定回転角度毎の単画像を隣接する画像間で所定量の重なりが得られる様に全周に亘って取得し、前記重なり部分で画像マッチングにより前記単画像を合成して３６０゜の全周画像を作成し、
又、前記水平回転テーブルを回転して所定回転角度毎に前記ＥＤＭ装置からの測距光を走査して測距を行い、全周に亘る測距を行うと共に前記測距光の水平方向の走査により、前記全周画像上に水平線が形成され、前記全周画像に水平方向の基準点を設定することで該基準点からの前記全周画像中での測定点の位置と全周画像の３６０゜とに基づき該測定点の水平角を演算し、前記全周画像中での前記水平線からの前記測定点の位置に基づき鉛直角を演算し、該測定点の３次元データを取得することを特徴とする全周画像計測装置。
【請求項２】
前記ＥＤＭ装置及び前記撮像装置は、傾動テーブルを介して前記水平回転テーブルに設けられ、前記傾動テーブルは、高低方向に所定角度傾斜可能であり、前記制御部は前記ＥＤＭ装置、前記撮像装置が水平の状態、傾斜させた状態でそれぞれ前記水平回転テーブルを所定回転角毎に回転させ、前記撮像装置による単画像の取得、前記ＥＤＭ装置による測距を行い、全周画像の作成、前記全周画像から測定点の水平角、鉛直角を演算し、測定点の３次元データを取得する請求項１の全周画像計測装置。
【請求項３】
前記制御部は、少なくとも２つの測定点の３次元データから該測定点を含む鉛直面又は水平面の特定を行う請求項１又は請求項２の全周画像計測装置。
【請求項４】
前記制御部は、前記ＥＤＭ装置、前記撮像装置が水平の状態、傾斜させた状態で取得した少なくとも３つの測定点の３次元データから該測定点を含む面の特定を行う請求項２の全周画像計測装置。
【発明の詳細な説明】
【技術分野】
【０００１】
本発明は３６０゜の全周画像を作成すると共に全周に位置する測定対象物の３次元データを計測する全周画像計測装置に関するものである。
【背景技術】
【０００２】
従来、全周画像を撮像するものとしては、全周カメラがある。全周カメラは、全周を撮像できる様に、６或はそれ以上のカメラ或は撮像ユニットを一体化したものである。又全周画像を撮像しつつ全周に存在する測定対象物の３次元データを計測する装置としては、撮像装置を具備したトータルステーションがある。
【０００３】
前記全周カメラでは、６或はそれ以上のカメラ或は撮像ユニットを一体化した構成であるので、装置構成が複雑となると共に各カメラで撮像した画像の取込み、画像の合成の為、各カメラの同期制御が必要となる等、高価なものとなる。
【０００４】
又、トータルステーションは、高精度の全周画像、３次元データを取得することができるが、非常に高価である。
【発明の概要】
【発明が解決しようとする課題】
【０００５】
本発明は斯かる実情に鑑み、簡単な装置構成で全周画像を作成すると共に全周に位置する測定対象物の３次元データを計測可能な全周画像計測装置を提供するものである。
【課題を解決するための手段】
【０００６】
本発明は、支持部に水平に支持され、水平方向に回転可能に設けられた水平回転テーブルと、該水平回転テーブルを定速で回転可能な水平回転駆動部と、前記水平回転テーブルに設けられたＥＤＭ装置と、撮像装置と、前記ＥＤＭ装置による測距と、前記撮像装置による撮像とを同期制御する制御部とを具備し、該制御部は前記水平回転駆動部を制御して前記水平回転テーブルを所定角度毎に回転させると共に前記撮像装置を作動させ、所定回転角度毎の単画像を全周に亘って取得し、該単画像を合成して全周画像を作成し、又、前記水平回転テーブルを回転して所定回転角度毎に前記ＥＤＭ装置からの測距光を走査して測距を行い、全周に亘る測距を行い、前記全周画像から測距点の水平角、鉛直角を演算し、測定点の３次元データを取得する全周画像計測装置に係るものである。
【０００７】
又本発明は、前記ＥＤＭ装置及び前記撮像装置は、傾動テーブルを介して前記水平回転テーブルに設けられ、前記傾動テーブルは、高低方向に所定角度傾斜可能であり、前記制御部は前記ＥＤＭ装置、前記撮像装置が水平の状態、傾斜させた状態でそれぞれ前記水平回転テーブルを所定回転角毎に回転させ、前記撮像装置による単画像の取得、前記ＥＤＭ装置による測距を行い、全周画像の作成、前記全周画像から測距点の水平角、鉛直角を演算し、測定点の３次元データを取得する全周画像計測装置に係るものである。
【０００８】
又本発明は、前記制御部は、少なくとも２つの測定点の３次元データから該測定点を含む鉛直面又は水平面の特定を行う全周画像計測装置に係るものである。
【０００９】
又本発明は、前記制御部は、前記ＥＤＭ装置、前記撮像装置が水平の状態、傾斜させた状態で取得した少なくとも３つの測定点の３次元データから該測定点を含む面の特定を行う全周画像計測装置に係るものである。
【発明の効果】
【００１０】
本発明によれば、支持部に水平に支持され、水平方向に回転可能に設けられた水平回転テーブルと、該水平回転テーブルを定速で回転可能な水平回転駆動部と、前記水平回転テーブルに設けられたＥＤＭ装置と、撮像装置と、前記ＥＤＭ装置による測距と、前記撮像装置による撮像とを同期制御する制御部とを具備し、該制御部は前記水平回転駆動部を制御して前記水平回転テーブルを所定角度毎に回転させると共に前記撮像装置を作動させ、所定回転角度毎の単画像を全周に亘って取得し、該単画像を合成して全周画像を作成し、又、前記水平回転テーブルを回転して所定回転角度毎に前記ＥＤＭ装置からの測距光を走査して測距を行い、全周に亘る測距を行い、前記全周画像から測距点の水平角、鉛直角を演算し、測定点の３次元データを取得するので、鉛直角、水平角を検出する角度検出器がなくとも、測定点の３次元データの取得が可能であり、安価で簡便な構成とすることができる。
【００１１】
又本発明によれば、前記ＥＤＭ装置及び前記撮像装置は、傾動テーブルを介して前記水平回転テーブルに設けられ、前記傾動テーブルは、高低方向に所定角度傾斜可能であり、前記制御部は前記ＥＤＭ装置、前記撮像装置が水平の状態、傾斜させた状態でそれぞれ前記水平回転テーブルを所定回転角毎に回転させ、前記撮像装置による単画像の取得、前記ＥＤＭ装置による測距を行い、全周画像の作成、前記全周画像から測距点の水平角、鉛直角を演算し、測定点の３次元データを取得するので、平面の特定に必要な３点の３次元データが簡単な構成で容易に取得することができるという優れた効果を発揮する。
【図面の簡単な説明】
【００１２】
【図１】本発明が実施される全周画像計測装置の全体斜視図である。
【図２】該全周画像計測装置の制御部の概略構成図である。
【図３】該全周画像計測装置の作動を示すフローチャートである。
【図４】（Ａ）（Ｂ）は画像中から測定点を検出する場合の説明図である。
【図５】単画像を合成して全周画像を作成する場合の説明図である。
【図６】全周画像と測定点との関係を示す説明図である。
【発明を実施するための形態】
【００１３】
以下、図面を参照しつつ本発明の実施例を説明する。
【００１４】
図１は、本発明が実施される全周画像計測装置１０の概略を示しており、図中、１は支持部としての三脚を示し、該三脚１の上端には整準部２が設けられ、該整準部２には水平回転駆動部３を介して水平回転テーブル４が設けられている。該水平回転テーブル４は、鉛直方向に延びる水平回転軸心５を中心に全周回転可能となっている。
【００１５】
前記水平回転駆動部３は、駆動源として水平回転モータ（図示せず）を具備し、該水平回転モータとしては回転量が制御可能な、例えばステッピングモータが用いられ、連続回転が可能となっていると共に所定角度単位で回転するので間欠駆動が可能となっている。
【００１６】
前記水平回転テーブル４には傾動軸６を介して傾動テーブル７が傾動可能に設けられている。前記傾動軸６には傾動駆動部８が連結され、該傾動駆動部８は駆動源として傾動モータ（図示せず）を具備し、前記傾動駆動部８は水平に対して前記傾動テーブル７を一定角度Ｖだけ高低方向に回転させることができる様になっている。尚、前記傾動駆動部８による一定角度の回転はモータの回転量を電気的に制御してもよいし、或は前記傾動テーブル７の水平位置、及び一定角度傾斜させた位置で、それぞれ前記傾動テーブル７に当接するストッパを設け、機械的に回転を規制してもよい。
【００１７】
前記傾動テーブル７にＥＤＭ（Ｅｌｅｃｔｒｏｎｉｃ  Ｄｉｓｔａｎｃｅ  Ｍｅｔｅｒ）装置１１及び撮像装置１２が設けられている。
【００１８】
前記ＥＤＭ装置１１はノンプリズムタイプの光波距離計であり、例えば市販のハンディタイプの小型光波距離計を用いることができる。前記撮像装置１２としては、１画像ずつ撮像するスチールカメラ、連続画像を撮像するビデオカメラのいずれでもよく、デジタル画像を取得できるものであればよい。
【００１９】
前記撮像装置１２は前記ＥＤＭ装置１１に積重ねられて設けられてもよく、或は前記傾動テーブル７に並列に設けられてもよい。いずれの場合も、前記ＥＤＭ装置１１と前記撮像装置１２の光軸は平行であり、又両光軸の関係は既知となっている。
【００２０】
前記水平回転テーブル４には制御部１３が設けられ、該制御部１３は前記整準部２、前記水平回転駆動部３、前記傾動駆動部８、前記ＥＤＭ装置１１、前記撮像装置１２と電気的に接続され、これらの駆動、作動を制御する。
【００２１】
図２は、前記制御部１３のブロック図を示している。該制御部１３は主に、制御演算部（ＣＰＵ）１５、記憶部１６、同期制御部１７、画像処理部１８を具備し、前記記憶部１６は更にプログラムを格納する第１記憶部１６ａ、画像データ、測距データを格納する第２記憶部１６ｂを有している。尚、前記第１記憶部１６ａ、前記第２記憶部１６ｂは個別なメモリであっても、或は１つのメモリをプログラム格納部と、データ格納部に区分してもよい。
【００２２】
前記同期制御部１７には前記ＥＤＭ装置１１、前記撮像装置１２が接続され、該ＥＤＭ装置１１、撮像装置１２は前記同期制御部１７を介して前記制御演算部１５に接続されている。又前記制御演算部１５には操作部２１、表示部２２が接続されると共に前記整準部２、前記水平回転駆動部３、前記傾動駆動部８が接続されている。
【００２３】
前記整準部２は前記水平回転テーブル４に設けられた傾斜センサ２３を有し、該傾斜センサ２３からの検出結果は前記整準部２に入力される様になっている。前記水平回転駆動部３或は水平回転テーブル４には、該水平回転テーブル４の回転についての基準位置を検出する基準位置検出センサ２４が設けられており、前記水平回転テーブル４の基準位置（回転角０゜）を検出する様になっている。尚、前記基準位置検出センサ２４としては、光学式のフォトインタラプタ、磁気式の近接センサ等、任意の検出センサを使用することが可能である。
【００２４】
前記同期制御部１７は、前記ＥＤＭ装置１１による測距、前記撮像装置１２による撮像を制御し、測定点と撮像画像の対応付け（即ち、画像中での測定点の位置の特定）が可能となる様になっている。
【００２５】
前記第１記憶部１６ａには、前記ＥＤＭ装置１１、前記撮像装置１２、前記整準部２、前記水平回転駆動部３、前記傾動駆動部８を駆動制御する為の制御プログラム、前記撮像装置１２で得られた画像データに対して所要の画像処理を行う画像処理プログラム、画像に基づき３次元データを測定する為の３次元データ演算プログラム等のプログラムが格納されている。
【００２６】
前記第２記憶部１６ｂには前記ＥＤＭ装置１１で得られた測距データを格納する測距データ格納部２５、前記撮像装置１２で撮像された画像データを格納する画像データ格納部２６、前記画像データを処理して得られる合成画像データを格納する全周画像格納部２７を有している。
【００２７】
前記画像処理部１８は、前記画像処理プログラムにより画像データを合成して周囲３６０゜の全周画像を作成し、作成した全周画像は前記全周画像格納部２７に格納する。又、画像中の測定点を特定する為、測距している状態の画像と測距していない状態での画像との比較で測定点（測距光が照射されている点）を抽出し、測定点と画像との関連付けを行う。
【００２８】
次に、図３、図４（Ａ）、図４（Ｂ）を参照して本実施例の計測作動について説明する。尚、図３で示す計測は、室内に全周画像計測装置を設置して、室内に関する計測を行う場合を示している。
【００２９】
室内の任意の位置に全周画像計測装置１０を設置し、全周計測を開始する。
【００３０】
先ず、整準が開始され、前記水平回転テーブル４が水平に設定される。尚、前記水平回転テーブル４の整準は、自動でなく、手動で行ってもよい（ＳＴＥＰ：０１）。
【００３１】
整準が完了すると、整準が完了した位置を第１の位置として前記撮像装置１２により第１画像が取得される（ＳＴＥＰ：０２）。取得された第１画像は前記画像データ格納部２６に格納される。
【００３２】
画像が取得されると、前記ＥＤＭ装置１１により第１画像内での測距が実行される（ＳＴＥＰ：０３）。尚、測距の開始は前記基準位置検出センサ２４が０゜を検出している状態で開始されることが好ましい。尚、前記ＥＤＭ装置１１により測距されている状態では、前記撮像装置１２による画像取得は行われない。
【００３３】
前記ＥＤＭ装置１１の第１画像内での測距は、前記ＥＤＭ装置１１の所定時間間隔での測距と、前記水平回転駆動部３での前記水平回転テーブル４の定速回転とが同期されて実行される。測定範囲は、前記水平回転テーブル４が所定角度回転され、測距光は１画像の右端から左端迄、水平方向に走査される。即ち、１画像の水平方向の画角分だけ所定ピッチ間隔で測距が実行される。又、前記ＥＤＭ装置１１と前記撮像装置１２の光軸は平行であり、前記ＥＤＭ装置１１の測距光の走査位置は、前記撮像装置１２の画像中心から両光軸間の距離だけ上下方向にずれている。図示では、走査位置は画像の中心から光軸間の距離だけ下方にずれている。測距データは前記第１画像データに関連付けられて前記測距データ格納部２５に格納される。
【００３４】
次に、測定が開始されて最初に撮像された画像については、画像と測定点の関係を特定する工程が実行される（ＳＴＥＰ：０４〜ＳＴＥＰ：０６、図４（Ａ），（Ｂ）参照）。
【００３５】
この工程では、測距光を照射している状態で、或は前記ＥＤＭ装置１１から可視光のポイント光２９が照射されている状態で、前記撮像装置１２により静止画像を取得し（図４（Ａ））、次にポイント光２９を消灯し、静止画像を取得し、ポイント光２９が照射されている画像と、消灯している画像との差を求めることで背景画像が消去され、ポイント光２９が抽出される（ＳＴＥＰ：０５）。
【００３６】
ポイント光２９が抽出されると、ポイント光２９の重心位置が演算により検出される。この重心位置がポイント光（測距光）の照射位置であり、重心位置を検出することで、画像と測定点の関係を特定できる（ＳＴＥＰ：０６）。特定された結果は、前記測距データ格納部２５又は前記画像データ格納部２６に格納される。
【００３７】
前記水平回転テーブル４が所定回転すると、前記ＥＤＭ装置１１による１画像分のスキャンが完了する（ＳＴＥＰ：０７）。前記水平回転テーブル４の所定角度回転は、前記水平回転駆動部３を所定回転角毎に間欠駆動する様予め設定しておいてもよく、或は、等角度毎にセンサを設け所定角度水平回転テーブル４が回転したことを検出し、或は固定側にセンサを１つ設け、前記水平回転テーブル４側に等角度毎にセンサを動作させるセンサ作動片（センサがフォトセンサであれば、作動片は光路遮断片）を設けて、前記水平回転テーブル４の等角度回転を検出する（ＳＴＥＰ：０８）。
【００３８】
尚、前記水平回転テーブル４の所定角度回転は、１回転（３６０゜）を整数ｎで分割した値であり、又、前記撮像装置１２が持つ水平方向の画角より小さく、所定量の重なりが得られる角度とする（後述する様に画像合成に必要なオーバラップ量が得られる量）。
【００３９】
前記ＥＤＭ装置１１が１画像分について走査が完了すると、即ち前記水平回転テーブル４が所定角度回転すると、前記基準位置検出センサ２４が前記水平回転テーブル４の１回転を検出したかどうかが確認され（ＳＴＥＰ：０９）、１回転していない場合は、前記水平回転テーブル４が所定角度回転（ＳＴＥＰ：１０）され、第２の位置に停止される。第２の位置で前記撮像装置１２により第２画像が撮像される（ＳＴＥＰ：０２）。次に、第２画像の範囲で、前記ＥＤＭ装置１１による水平方向の走査が実行され、測距データが取得される。第２画像、第２画像に関する測距データはそれぞれ関連付けられて、前記測距データ格納部２５、或は前記画像データ格納部２６に格納される。
【００４０】
更に、所定角度回転され、画像の取得と、取得された画像についての測距走査が、繰返し実行され、角度位置の変更回数がｎに達すると、前記基準位置検出センサ２４によって３６０゜回転されたことが確認される。
【００４１】
前記水平回転テーブル４の１回転が確認されると、前記傾動駆動部８が駆動され、前記傾動テーブル７が所定角度（Ｖ）傾斜される。この傾斜は、測定が完了する迄維持される（ＳＴＥＰ：１１）。
【００４２】
前記傾動テーブル７が傾斜した状態で、前記水平回転テーブル４の第１の位置で前記撮像装置１２による第１画像が取得され（ＳＴＥＰ：１２）、次に前記水平回転テーブル４が所定角度回転される。該水平回転テーブル４を介して前記ＥＤＭ装置１１が傾斜した状態で水平方向に所定角度回転され、前記第１画像の範囲で前記ＥＤＭ装置１１による水平に走査が行われ、測距データが取得される。画像データ、測距データは、それぞれ関係付けられ、更に前記ＥＤＭ装置１１、前記撮像装置１２が傾斜した状態で取得されたことの情報と共に、前記測距データ格納部２５、前記画像データ格納部２６に格納される（ＳＴＥＰ：１３）。
【００４３】
前記ＥＤＭ装置１１の走査が完了（ＳＴＥＰ：１４）すると、前記水平回転テーブル４が所定角度回転され、第２の位置に停止され、第２の位置で前記撮像装置１２による画像が取得され、更に第２画像について前記ＥＤＭ装置１１の測距、走査が実行される。更に、画像の取得、測距走査が停止位置、各画像について実行される。
【００４４】
更に、前記水平回転テーブル４の２回目の全周回転（３６０゜）が前記基準位置検出センサ２４によって検出されると、画像データの取得、測距データの取得が完了し（ＳＴＥＰ：１５〜ＳＴＥＰ：１７）、画像処理、更に測定点の３次元データ（３次元座標）の演算が開始される。
【００４５】
図５（Ａ）、図５（Ｂ）は、前記水平回転テーブル４の各回転位置で撮像した画像を用いて全周のパノラマ画像を合成する様子を示している。図示では、前記水平回転テーブル４は全周を５等分した角度Ｈだけ回転する様に設定されている。即ち、５の前記水平回転テーブル４の回転位置でそれぞれ画像が取得され、更に各画像について測距走査が実行された場合を示している。尚、以下の説明では、前記傾動テーブル７を傾斜させた場合については、同様の処理であるので説明を省略している。
【００４６】
前記水平回転テーブル４の５の回転位置で、それぞれ第１画像３１ａ〜第５画像３１ｅ迄取得され、これらの画像は前記画像データ格納部２６に格納されている。
【００４７】
又、取得された画像３１の水平方向の画角は、前記水平回転角Ｈより大きくなっており、パノラマ画像を作成する場合は、隣接する画像の左右両端部３２ｍ，３２ｎでオーバラップする様になっている。
【００４８】
隣接する画像を合成する場合は、オーバラップする左右両端部３２ｍ，３２ｎに於いて、画像マッチングを行う。尚、画像マッチングの手法としては、ＳＳＤＡ法（Ｓｅｑｕｅｎｔｉａｌ  ｓｉｍｉｌａｒｉｔｙ  ｄｅｔｅｃｔｉｏｎ  ａｌｇｏｒｉｔｈｍ：テンプレートとマッチングウィンドウとの濃淡値の残差を求め、残差が最小となる位置を求める）、正規化相互相関法（Ｃｒｏｓｓ  ｃｏｒｒｅｌａｔｉｏｎ：テンプレートとマッチングウィンドウとの相関値を算出して対応点を検索する）、最小二乗マッチング法（Ｌｅａｓｔ  ｓｑｕａｒｅｓ  ｍａｔｃｈｉｎｇ：アフィン変換を用いてマッチングウィンドウの形状も未知パラメータとして設定し、テンプレートに対するマッチングウィンドウの位置及び形状を求める）等が挙げられる。
【００４９】
隣接する画像の前記左右両端部３２ｍ，３２ｎ部分で画像マッチングを行うことで、左右の単画像が連続した合成画像となり、第１画像３１ａ〜第５画像３１ｅ迄順次画像マッチングで構成することで、画角が３６０°の全周画像が合成できる（ＳＴＥＰ：１８）。
【００５０】
前記撮像装置１２によって全周画像を取得することから、又前記基準位置検出センサ２４によって、基準位置及び全周回転を検出することができることから、展開したパノラマ画像から水平方向の角度（水平角）、例えば図５（Ｂ）は前記第１画像３１ａ〜第５画像３１ｅを合成したパノラマ画像３３であるが、該パノラマ画像３３の両端は中央を基準位置水平角０°とすると、両端の水平角は±１８０゜であり、両端間を３６０分割すると１分割は水平角１゜となる。従って、全周画像を取得することで、室内の全ての方向を画像から測定することができる。
【００５１】
図６は、パノラマ画像３３と測定点３４の関係を示している。
【００５２】
該測定点３４は水平面上に位置し、点の軌跡としては画像上に水平線として現れる。又、前記水平回転テーブル４が基準位置（水平角０゜）の時を前記測定点３４の始点とすると、前記ＥＤＭ装置１１の測距光の照射を等時間間隔とし、前記水平回転テーブル４の回転速度を定速度（既知の回転速度）とすれば、測距光の発光時間間隔と前記水平回転テーブル４の回転速度で測定点間の水平角度ピッチが演算できる。尚、測定点３４の始点、或は画像の始点の判断は、測定開始時に抽出したレーザポインタに基づき行ってもよいし、或は画像を合成する過程で、画像上から判断してもよい。
【００５３】
更に、前記測定点３４の距離が測定されることで、測定点３４の２次元座標が演算できる。更に又、室内は殆どが鉛直面と水平面とで構成されていることを考慮し、面が鉛直であることを条件として面内の２点の座標が分ることで面を特定でき（面を示す式が演算でき）、画像上で任意の位置を特定すると、画像上で水平角、高低角が求められ、高低角と水平角と面を示す式とで面内の任意の位置の３次元座標を演算することができる（ＳＴＥＰ：１９）。又、隣接する面と面とは両面についてそれぞれ求めた面を表す式から交線（角の位置）を演算により求めることができる。
【００５４】
次に、ＳＴＥＰ：１１〜ＳＴＥＰ：１７の測定を実行することで、ＳＴＥＰ：０２〜ＳＴＥＰ：１０で測定した水平線に対して高低角の方向で水平方向に走査した測定点の測距データが得られる。
【００５５】
従って、平面に対して３以上の異なった点での３次元座標が得られ、平面が傾斜している場合でも、面の特定（面を表す演算式の決定）をすることができる。従って、前記傾動テーブル７を傾斜させることで、前記ＥＤＭ装置１１を傾斜させ、更に該ＥＤＭ装置１１を一周させて高低角の異なる位置での全周の測距データを取得することで、室内の全ての平面を特定することができる。従って、画像上で指定した任意の点の３次元座標を求めることができる。
【００５６】
尚、上記測定で直接得られる３次元座標は、前記ＥＤＭ装置１１の回転中心を原点とする極座標であるが、水平角Ｈ、鉛直角Ｖはそれぞれパノラマ画像３３上から算出できるので、直交座標への変換は、Ｘ＝ｒｓｉｎＶ・ｃｏｓＨ、Ｙ＝ｒｓｉｎＶ・ｓｉｎＨ、Ｚ＝ｒｃｏｓＶ（ここで、ｒは測定点迄の距離）で変換でき、求められた測定結果に基づき室内の平面図を作成することができる（ＳＴＥＰ：２０）。
【００５７】
上記した様に、本実施例では水平角を検出する為のエンコーダ等の高価な角度検出が不要であり、又、市販の光波距離計、デジタルカメラを用いて容易に構成できるので、安価な構成とすることができる。
【００５８】
尚、上記実施例では、前記ＥＤＭ装置１１、前記撮像装置１２が前記傾動テーブル７に設けられ、一体に傾斜する様に構成されたが、室内計測の様に、測定対象物が垂直面と水平面のみで構成されている場合は、前記ＥＤＭ装置１１、前記撮像装置１２は前記水平回転テーブル４に直接設置してもよい。
【００５９】
又、前記水平回転テーブル４を水平に対して９０°回転できる様にしてもよい。この場合、前記水平回転テーブル４は水平軸心を中心に回転し、前記ＥＤＭ装置１１、前記撮像装置１２も水平軸心を中心に回転するので、床、天井についても画像の取得、測距が行え、床、天井についての全周画像計測が可能となる。尚、この場合、床、天井について２つの測定点の３次元座標が得られれば、水平面の特定が可能となる。
【符号の説明】
【００６０】
１              三脚
２              整準部
３              水平回転駆動部
４              水平回転テーブル
５              水平回転軸心
６              傾動軸
７              傾動テーブル
８              傾動駆動部
１０            全周画像計測装置
１１            ＥＤＭ装置
１２            撮像装置
１３            制御部
１５            制御演算部
１６            記憶部
１７            同期制御部
１８            画像処理部
２１            操作部
２２            表示部
２３            傾斜センサ
２４            基準位置検出センサ
２５            測距データ格納部
２６            画像データ格納部
２７            全周画像格納部
【図１】
0005770486.tif 000002
【図２】
0005770486.tif 000003
【図３】
0005770486.tif 000004
【図４】
0005770486.tif 000005
【図５】
0005770486.tif 000006
【図６】
0005770486.tif 000007